(57)【要約】  【課題】  湿布を患部に片手で容易かつ確実に貼り付けることのできる湿布セットを提供する。  【解決手段】  湿布セット１は、湿布２と貼付け器３とで構成される。湿布２は、貼付け面を有する湿布本体４と、貼付け面に剥離可能に取り付けられる剥離フィルム５とを備える。剥離フィルム５は、湿布本体４の中央部に剥離可能に取り付けられる第１剥離部６と、湿布本体４の両端部にそれぞれ剥離可能に取り付けられる第２剥離部７とで構成される。第２剥離部７には、湿布本体４を保護しない非保護部８が設けられ、非保護部８には、穴部９が設けられる。貼付け器３は、貼付け面と反対側の面（裏面）を支持する支持面１０と、貼付け器３を把持するための柄部１１と、穴部９に差し込まれる差込み片１２とを備える。【選択図】  図１
2013119025.tif 000002
【特許請求の範囲】
【請求項１】
湿布と、前記湿布の貼付けに用いられる貼付け器とで構成される湿布セットであって、
前記湿布は、
患部に貼り付けられる貼付け面を有する湿布本体と、前記湿布本体の前記貼付け面に剥離可能に取り付けられる剥離フィルムとを備え、
前記剥離フィルムは、前記湿布本体の中央部に剥離可能に取り付けられる第１剥離部と、前記湿布本体の両端部にそれぞれ剥離可能に取り付けられる第２剥離部とで構成され、
前記第２剥離部には、前記湿布本体を保護しない非保護部が設けられ、前記非保護部には、穴部が設けられており、
前記貼付け器は、
前記湿布本体の前記貼付け面と反対側の面を支持する支持面と、前記貼付け器を把持するための柄部と、前記穴部に差し込まれる差込み片とを備えることを特徴とする湿布セット。
【請求項２】
湿布の貼付けに用いられる貼付け器であって、
前記湿布は、
患部に貼り付けられる貼付け面を有する湿布本体と、前記湿布本体の前記貼付け面に剥離可能に取り付けられる剥離フィルムとを備え、
前記剥離フィルムは、前記湿布本体の中央部に剥離可能に取り付けられる第１剥離部と、前記湿布本体の両端部にそれぞれ剥離可能に取り付けられる第２剥離部とで構成され、
前記第２剥離部には、前記湿布本体を保護しない非保護部が設けられ、前記非保護部には、穴部が設けられており、
前記貼付け器は、
前記湿布本体の前記貼付け面と反対側の面を支持する支持面と、前記貼付け器を把持するための柄部と、前記穴部に差し込まれる差込み片とを備えることを特徴とする貼付け器。
【請求項３】
貼付け器を用いて貼付けが行われる湿布であって、
前記湿布は、
患部に貼り付けられる貼付け面を有する湿布本体と、前記湿布本体の前記貼付け面に剥離可能に取り付けられる剥離フィルムとを備え、
前記剥離フィルムは、前記湿布本体の中央部に剥離可能に取り付けられる第１剥離部と、前記湿布本体の両端部にそれぞれ剥離可能に取り付けられる第２剥離部とで構成され、
前記第２剥離部には、前記湿布本体を保護しない非保護部が設けられ、前記非保護部には、穴部が設けられており、
前記穴部には、前記貼付け器の差込み片が差し込まれることを特徴とする湿布。
【発明の詳細な説明】
【技術分野】
【０００１】
本発明は、湿布と貼付け器とで構成される湿布セットに関し、特に、湿布を患部に容易かつ確実に貼り付けるための技術に関する。
【背景技術】
【０００２】
従来、患部の炎症や痛みを和らげるために、冷湿布又は温湿布等の湿布が利用されている。湿布には、患部へ貼り付けられる貼付け面（粘着面）が形成されており、貼付け面には、剥離フィルムが貼り付けられている。従来の湿布では、剥離フィルムを剥いだり、湿布を患部へ貼り付ける際に、湿布にしわが寄ったり、貼付け面どうしが張付き扱いにくい。また通常は両手で貼付けをするために、貼付けることのできる範囲が狭くなる。そこで、従来から、湿布を患部に容易に貼付けるための技術が提案されている。
【先行技術文献】
【特許文献】
【０００３】
【特許文献１】特開２００１−２４５９１２号公報
【特許文献２】実用新案登録第３１４７８２４号公報
【発明の概要】
【発明が解決しようとする課題】
【０００４】
しかしながら、従来の技術においても、湿布を患部に容易かつ確実に貼り付けることが十分に可能であったとはいえず、さらなる技術の開発が望まれていた。
【０００５】
本発明は、上記の課題に鑑みてなされたもので、湿布を患部に容易かつ確実に貼り付けることのできる湿布セットを提供することを目的とする。
【課題を解決するための手段】
【０００６】
本発明の湿布セットは、湿布と、前記湿布の貼付けに用いられる貼付け器とで構成される湿布セットであって、前記湿布は、患部に貼り付けられる貼付け面を有する湿布本体と、前記湿布本体の前記貼付け面に剥離可能に取り付けられる剥離フィルムとを備え、前記剥離フィルムは、前記湿布本体の中央部に剥離可能に取り付けられる第１剥離部と、前記湿布本体の両端部にそれぞれ剥離可能に取り付けられる第２剥離部とで構成され、前記第２剥離部には、前記湿布本体を保護しない非保護部が設けられ、前記非保護部には、穴部が設けられており、前記貼付け器は、前記湿布本体の前記貼付け面と反対側の面を支持する支持面と、前記貼付け器を把持するための柄部と、前記穴部に差し込まれる差込み片とを備えている。
【０００７】
これにより、湿布の貼付けを行うときには、まず、貼付け器の差込み片が剥離フィルムの第２剥離部の穴部に差し込まれた状態にされるとともに、湿布の裏面（貼付け面と反対側の面）が貼付け器の支持面で支持された状態にする。つぎに、剥離フィルムの第１剥離部を剥離し、貼付け器の柄部を片手で把持し、湿布本体の中央部を患部の中央部に正解に押し付けることにより、湿布本体の中央部の貼付け面が患部中央に接触する。つづいて、柄の部分を体側に貼付けるようにすると剥離フィルムの第２剥離部の穴部に差し込まれた貼付け器の差込み片が引き下がることにより、剥離フィルムの第２剥離部が外側に牽引され剥離し、湿布本体の両端部の貼付け面が患部（の両端部）に貼付く。本発明によれば、湿布を患部に貼り付けるときに、湿布にしわがよるのを防ぐことができ、湿布を患部に片手で容易かつ確実に貼り付けることが可能になる。
【０００８】
本発明の貼付け器は、湿布の貼付けに用いられる貼付け器であって、前記湿布は、患部に貼り付けられる貼付け面を有する湿布本体と、前記湿布本体の前記貼付け面に剥離可能に取り付けられる剥離フィルムとを備え、前記剥離フィルムは、前記湿布本体の中央部に剥離可能に取り付けられる第１剥離部と、前記湿布本体の両端部にそれぞれ剥離可能に取り付けられる第２剥離部とで構成され、前記第２剥離部には、前記湿布本体を保護しない非保護部が設けられ、前記非保護部には、穴部が設けられており、前記貼付け器は、前記湿布本体の前記貼付け面と反対側の面を支持する支持面と、前記貼付け器を把持するための柄部と、前記穴部に差し込まれる差込み片とを備えている。
【０００９】
これによっても、上記と同様、湿布を患部に貼り付けるときに、湿布にしわがよるのを防ぐことができ、湿布を患部に容易かつ確実に貼り付けることが可能になる。
【００１０】
本発明の湿布は、貼付け器を用いて貼付けが行われる湿布であって、前記湿布は、患部に貼り付けられる貼付け面を有する湿布本体と、前記湿布本体の前記貼付け面に剥離可能に取り付けられる剥離フィルムとを備え、前記剥離フィルムは、前記湿布本体の中央部に剥離可能に取り付けられる第１剥離部と、前記湿布本体の両端部にそれぞれ剥離可能に取り付けられる第２剥離部とで構成され、前記第２剥離部には、前記湿布本体を保護しない非保護部が設けられ、前記非保護部には、穴部が設けられており、前記穴部には、前記貼付け器の差込み片が差し込まれる。
【００１１】
これによっても、上記と同様、湿布を患部に貼り付けるときに、湿布にしわがよるのを防ぐことができ、湿布を患部に容易かつ確実に貼り付けることが可能になる。
【発明の効果】
【００１２】
本発明によれば、湿布を患部に容易かつ確実に貼り付けることができる。
【図面の簡単な説明】
【００１３】
【図１】本発明の第１の実施の形態における湿布セット（湿布と貼付け器）の平面図
【図２】本発明の第１の実施の形態における湿布セットの使用状態の説明図（側面図）
【図３】本発明の第２の実施の形態における湿布セット（湿布と貼付け器）の平面図
【図４】本発明の第２の実施の形態における湿布の説明図（平面図）
【発明を実施するための形態】
【００１４】
以下、本発明の実施の形態の湿布セットについて、図面を用いて説明する。本実施の形態では、冷湿布又は温湿布等の湿布の貼付けに用いられる湿布セットの場合を例示する。
【００１５】
（第１の実施の形態）
本発明の第１の実施の形態の湿布セットの構成を、図面を参照して説明する。図１は、本実施の形態の湿布セットを示す平面図である。図１に示すように、湿布セット１は、冷湿布又は温湿布である湿布２と、湿布２の貼付けに用いられる貼付け器３とで構成される。
【００１６】
湿布２は、患部に貼り付けられる貼付け面（粘着面）を有する湿布本体４と、湿布本体４の貼付け面に剥離可能に取り付けられる剥離フィルム５とを備えている。剥離フィルム５の大きさは、湿布本体４の大きさより大きい。剥離フィルム５は、湿布本体４の中央部に剥離可能に取り付けられる第１剥離部６と、湿布本体４の両端部にそれぞれ剥離可能に取り付けられる第２剥離部７とで構成される。図１では、第１剥離部６と第２剥離部７との境界線が破線で示されている。
【００１７】
第１剥離部６は、湿布本体４の中央部を保護している。第２剥離部７は、湿布本体４の両端部を保護している。第２剥離部７の外側部分には、湿布本体４を保護しない非保護部８が設けられており、非保護部８には、穴部９が設けられている。
【００１８】
貼付け器３は、適度な可撓性を有する板状の部材（例えば、プラスティック板など）で構成されている。板状の部材には切り込み（図１において実線で示す）が設けられ、湿布本体４の貼付け面と反対側の面（裏面）を支持する支持面１０と、貼付け器３を把持するための柄部１１と、穴部９に差し込まれる差込み片１２が形成されている。
【００１９】
以上のように構成された湿布セット１の使い方について、図２を参照しながら説明する。湿布２の貼付けを行うときには、まず、貼付け器３を撓ませた状態にして（図２参照）、貼付け器３の柄部１１を把持しながら、貼付け器３の差込み片１２を剥離フィルム５の第２剥離部７の穴部９に差し込んで、湿布２の裏面（貼付け面と反対側の面）が貼付け器３の支持面１０で支持された状態にする。
【００２０】
つぎに、図２に示すように、剥離フィルム５の第１剥離部６を剥離して、湿布本体４の中央部を患部（の中央部）に押し付ける。これにより、湿布本体４の中央部の貼付け面が患部に貼り付けられる。つづいて、柄部１１を体側に押し付けるように刷ると，差し込み片１２が両側の第２剥離部７を中央から外側に牽引し、湿布本体から第２剥離部７の剥離を容易にし湿布本体４の両端部の貼付け面が患部（の両端部）に貼付くこととなる。
【００２１】
このような本発明の第１の実施の形態の湿布セット１によれば、湿布２を患部に貼り付けるときに、湿布２にしわがよるのを防ぐことができ、湿布２を患部に容易かつ確実に貼り付けることが可能になる。
【００２２】
（第２の実施の形態）
次に、本発明の第２の実施の形態の湿布セット１について説明する。ここでは、第２の実施の形態の湿布セット１が、第１の実施の形態と相違する点を中心に説明する。ここで特に言及しない限り、本実施の形態の構成および動作は、第１の実施の形態と同様である。
【００２３】
図３は、本実施の形態の湿布セット１を示す平面図であり、図４は、本実施の形態の湿布２（湿布本体４と剥離フィルム５）の説明図である。図３および図４に示すように、本実施の形態では、湿布２の剥離フィルム５の大きさと湿布本体４の大きさが、ほぼ同じ大きさである。この場合、湿布本体４の両端部に、凹形状の切欠き部１３が設けられており、このように切欠き部１３を設けることにより、剥離フィルム５の第２剥離部７に非保護部８が設けられている。
【００２４】
また、図３に示すように、本実施の形態では、貼付け器３の柄部１１の中央部分の幅狭になっており、その分だけ貼付け器３の支持面１０の中央部分が幅広になっている。これにより、柄部１１を持ちやすくなるとともに、支持面１０でしっかりと湿布２を支持することができる。また、本実施の形態では、貼付け器３の差込み片１２が、貼付け器３の両端の最外部に設けられている。これにより、差込み片１２を穴部９に差し込みやすくなる。
【００２５】
このような本発明の第２の実施の形態の湿布セット１によっても、第１の実施の形態と同様の作用効果が奏される。すなわち、湿布２を患部に貼り付けるときに、湿布２にしわがよるのを防ぐことができ、湿布２を片手で患部に容易かつ確実に貼り付けることが可能になる。
【００２６】
以上、本発明の実施の形態を例示により説明したが、本発明の範囲はこれらに限定されるものではなく、請求項に記載された範囲内において目的に応じて変更・変形することが可能である。
【産業上の利用可能性】
【００２７】
以上のように、本発明にかかる湿布セットは、以前に開発された大きな器材を用いず、湿布本体とほぼ同形状で、湿布を患部に片手で容易かつ確実に貼り付けることができるという効果を有し、冷湿布又は温湿布等の大きさ，材質に関わらず湿布用材の貼付けに用いることができ、有用である。
【符号の説明】
【００２８】
１  湿布セット
２  湿布
３  貼付け器
４  湿布本体
５  剥離フィルム
６  第１剥離部
７  第２剥離部
８  非保護部
９  穴部
１０  支持面
１１  柄部
１２  差込み片
１３  切欠き部
【図１】
2013119025.tif 000003
【図２】
2013119025.tif 000004
【図３】
2013119025.tif 000005
【図４】
2013119025.tif 000006